(57)【要約】【課題】地上アナログチューナーを内蔵したテレビ本体を浴室の壁面に設置した既設の浴室用テレビにおいて、浴室外に後付けで地上デジタルチューナーを備える場合でも浴室からチャンネル切り替えを行うことが可能であると共にこれに伴う作業が煩雑とならない浴室用テレビを提供する。【解決手段】地上アナログチューナーを内蔵したテレビ本体を浴室の壁面に設置してなる既設の浴室用テレビにおいて、浴室外に地上デジタルチューナーを設置すると共に、地上デジタルチューナーの出力端子とテレビ本体のアンテナ入力端子とをケーブル接続し、浴室の天井の点検口近傍に貫通口を形成すると共に、天井の該貫通口の天井面側に下面側が略半球状をした透光性を有するケースを設け、ケース内にリモコンからの赤外線信号の受信部を設けると共に、受信部に接続される電線を前記貫通口より導出して地上アナログチューナーに接続する。【選択図】図１
2009111525.tif 000002
【特許請求の範囲】
【請求項１】
地上アナログチューナーを内蔵したテレビ本体を浴室の壁面に設置してなる既設の浴室用テレビにおいて、浴室外に地上デジタルチューナーを設置すると共に、地上デジタルチューナーの出力端子とテレビ本体のアンテナ入力端子とをケーブル接続し、浴室の天井の点検口近傍に貫通口を形成すると共に、天井の該貫通口の天井面側に下面側が略半球状をした透光性を有するケースを設け、ケース内にリモコンからの赤外線信号の受信部を設けると共に、受信部に接続される電線を前記貫通口より導出して地上デジタルチューナーに接続して成ることを特徴とするて成ることを特徴とする浴室用テレビ。
【発明の詳細な説明】
【技術分野】
【０００１】
本発明は、浴室用テレビに関するものである。
【背景技術】
【０００２】
従来より、浴室に設置する浴室用テレビが知られている（例えば特許文献１参照）。
【特許文献１】特開２００５−２２９４９５号公報
【発明の開示】
【発明が解決しようとする課題】
【０００３】
これは、例えば図４に示すように、浴室用テレビ１は、地上アナログチューナーを内蔵したテレビ本体１０を浴室２の壁面２１に設置し、アンテナケーブル６１をテレビ本体１０に接続して、浴室２内においてテレビ番組を視聴することができる。図中、符号５はリモコン５を示し、符号６２は電源コードを示し、符号６３は電源部を示し、符号６４はＶＨＦのＴＶアンテナを示し、符号６５はＵＨＦのＴＶアンテナを示し、符号６６は混合器を示し、符号６７は分配器を示す。
【０００４】
ところで、２０１１年にテレビ放送の地上波は、アナログ放送の送波が停止されてデジタル放送の電波のみが送波されることとなる。このため、地上波のデジタル放送を視聴するには、地上アナログチューナーを内蔵したテレビ本体１０から地上デジタルチューナーを内蔵したテレビ本体１０に替える方法か、あるいは、別体の地上デジタルチューナーを後付けし、既設の地上アナログチューナーを内蔵したテレビ本体１０をモニターとして使用する方法のいずれかが考えられるが、経済性の観点からは、別体の地上デジタルチューナーを後付けする方法の方が好ましい。別体の地上デジタルチューナーは、電源コード６２を介してコンセントに接続して商用電源を給電すると共に、高湿度で且つ湯水等が機器にかかる惧れのある浴室２内には設置しない方がよいため、通常は浴室２外の居室に設置するものである。
【０００５】
この場合、テレビ本体１０が外部入力端子を備えている時には、地上デジタルチューナーとテレビ本体１０との接続をケーブル接続にて容易に行うことができるものの、チャンネルの切り替えは、地上デジタルチューナーの操作部を操作するか、またはリモコン５からの赤外線等の信号を地上デジタルチューナーの受信部に受信させる必要があるため、浴室２内から直接行うことは困難であるという問題があった。
【０００６】
また、テレビ本体１０が外部入力端子を備えていない時も、前記のように浴室２内から直接行うことは困難なものである上に、ＶＨＦ又はＵＨＦの空きチャンネルを使用して受信するために、地上デジタルチューナーの映像及び音声の出力をＶＨＦ又はＵＨＦに変換してテレビ本体１０に受信させるための周波数変換器が必要となり、更に問題点が増加するものであった。
【０００７】
また、リモコン５からの信号をテレビ本体１０に受信させると共に、テレビ本体１０が受信した信号を外部接続機器用の信号に変換してＬＥＤ等の発光部から送信し、外部接続機器の受信部にて受信させて地上デジタルチューナーを制御する方法も考えられるが、外部接続機器及びこれらの制御手段を備える必要があり、更に困難となる。
【０００８】
本発明は上記従来の問題点に鑑みて発明したものであって、その目的とするところは、地上アナログチューナーを内蔵したテレビ本体を浴室の壁面に設置した既設の浴室用テレビにおいて、浴室外に後付けで地上デジタルチューナーを備える場合でも浴室からチャンネル切り替えを行うことが可能であると共にこれに伴う作業が煩雑とならない浴室用テレビを提供することを課題とするものである。
【課題を解決するための手段】
【０００９】
上記課題を解決するために請求項１に係る発明にあっては、地上アナログチューナーを内蔵したテレビ本体１０を浴室２の壁面２１に設置してなる既設の浴室用テレビ１において、浴室２外に地上デジタルチューナー３を設置すると共に、地上デジタルチューナー３の出力端子３１とテレビ本体１０のアンテナ入力端子１１とをケーブル接続し、浴室２の天井２２の点検口２３近傍に貫通口２４を形成すると共に、天井２２の該貫通口２４の天井２２面側に下面側が略半球状をした透光性を有するケース４を設け、ケース４内にリモコン５からの赤外線信号の受信部５１を設けると共に、受信部５１に接続される電線５２を前記貫通口２４より導出して地上デジタルチューナー３に接続して成ることを特徴とするものである。
【００１０】
このような構成とすることで、浴室２内でリモコン５を操作することで容易にチャンネル切り替えを行うことが可能であると共に、簡単な現場施工で天井２２の点検口２３の近傍に受信部５１を設置することができて、受信部５１の設置作業を容易に行うことができる。また、電線５２も短くでき、ノイズによる影響を防ぐことができ、配線も容易である。
【発明の効果】
【００１１】
本発明にあっては、地上アナログチューナーを内蔵したテレビ本体を浴室の壁面に設置した既設の浴室用テレビにおいて、浴室外に後付けで地上デジタルチューナーを備える場合において、ケースを天井の点検口の近傍に設置することで、これに伴う作業が煩雑とならず容易に行うことができるものであり、また、浴室内でリモコンを操作することで、容易にチャンネル切り替えをはじめテレビ本体の電源のＯＮ／ＯＦＦや音量調節を行うことができる。
【発明を実施するための最良の形態】
【００１２】
以下、本発明の一実施形態について添付図面に基づいて説明する。
【００１３】
図２に示すように、浴室２の壁面２１には、地上アナログチューナーを内蔵した浴室用テレビ１のテレビ本体１０が設置してある。また浴室２の天井２２には、点検口２３が形成してあると共に、点検口２３に点検口蓋２３ａが着脱自在に設けられ、天井２２裏には断熱材２２ａが設けてある。
【００１４】
テレビ本体１０は、映像を出力するモニターと音声を出力するスピーカーとを備えており、浴室２内から視聴することができる。テレビ本体１０は、背面にアンテナ入力端子１１を備えており、該アンテナ入力端子１１にアンテナケーブル６１の一端が接続されると共に、アンテナケーブル６１の他端側は浴室２の壁面２１に形成した壁穴を挿通して浴室２外に導出される。また、テレビ本体１０の背面からは電源コード６２が伸びており、前記浴室２の壁面２１に形成した穴部を介して浴室２外に導出されて、浴室２外（例えば天井裏）に配設されたＡＣ／ＤＣ電源等の電源部６３に接続される。
【００１５】
浴室２外（例えば天井裏）には、地上デジタルチューナー３を内蔵したチューナーボックス３０が設置される。チューナーボックス３０は、図３に示すようにアンテナ入力端子３２（ＲＦ入力端子）と、テレビ本体１０のアンテナ入力端子１１に入力される信号を出力する出力端子３１（ＲＦ出力端子）と、操作信号が入力される信号入力端子３３と、テレビ本体１０の地上アナログチューナーで受信させてモニターで出力させるための信号に変換して送信する周波数変換器３４とを備える。周波数変換器３４にあっては、例えばＶＨＦ：１〜１２ｃｈ又はＵＨＦ：１３〜６４ｃｈの範囲で送信可能としてあり、前記信号をテレビ本体１０で受信してモニターで出力が可能である。なお、チューナーボックス３０には、地上デジタルチューナー３に加えて、ＢＳチューナー又は／及びＣＳチューナーを備えてもよい。
【００１６】
浴室２の天井２２の点検口２３の近傍には、図１、図２に示すように、φ１０ｍｍ程度の貫通口２４が形成されると共に、天井２２の貫通口２４及びその周囲の天井面（浴室２側となる下面）側の部分にケース４が設けられる。ケース４は、下面側が略半球状をした透光性を有するもので、前記略半球状部４１の上縁からはフランジ部４２が連設される。フランジ部４２は、天井２２の貫通口２４及びその周囲の天井２２面側の部分にパッキンＰを介して当接し、天井面に固定される。天井面への固定は、天井２２が合成樹脂で形成されている場合にはアンカーを用いて固定し、天井２２が鋼板の場合には、図１に示すように下穴２５を穿設すると共に該下穴２５を介してボルト・ナットからなる固着具Ｋにより締結固定して、シリコンシーリングにより防水処理を施すものである。
【００１７】
ケース４の略半球状部４１の上方向きの凹部内には、リモコン５から送信される赤外線信号を受信する受信部５１が収容され、ポッティング材４３により凹部内の隙間が埋められて受信部５１を凹部内に固定する。リモコン５は、浴室２内で使用するために防水処理を施している。また、ケース４を略半球状とすることで、水切れ性が向上する。リモコン５操作により、地上デジタルチューナー３のチャンネル切り替えの制御を行い、これに応じたチャンネルのＶＨＦ又はＵＨＦをテレビ本体１０に送信して、視聴する番組のチャンネルを切り替えることができる。また更に、テレビ本体１０の電源のＯＮ／ＯＦＦや音量調節等の基本的な操作もリモコン５により行うことができる。
【００１８】
上述した構成によれば、地上アナログチューナーを内蔵したテレビ本体１０を浴室２の壁面２１に設置した既設の浴室用テレビ１において、浴室２外に後付けで地上デジタルチューナー３を備える場合において、ケース４を天井２２の点検口２３の近傍に設置することで、これに伴う作業が煩雑とならず容易に行うことができるものであり、また、浴室２内でリモコン５を操作することで、容易にチャンネル切り替えをはじめテレビ本体１０の電源のＯＮ／ＯＦＦや音量調節を行うことができる。
【図面の簡単な説明】
【００１９】
【図１】本発明の浴室テレビの受信部を設けた天井部分の拡大断面図である。
【図２】同上の浴室テレビを設置した浴室の構成図である。
【図３】地上デジタルチューナーを説明する構成図である。
【図４】従来の浴室テレビを設置した浴室の構成図である。
【符号の説明】
【００２０】
１    浴室用テレビ
１０  テレビ本体
１１  アンテナ入力端子
２    浴室
２１  壁面
２２  天井
２３  点検口
２４  貫通口
３    地上デジタルチューナー
３１  出力端子
４    ケース
５    リモコン
５１  受信部
【図１】
2009111525.tif 000003
【図２】
2009111525.tif 000004
【図３】
2009111525.tif 000005
【図４】
2009111525.tif 000006